(57)【要約】      （修正有）【課題】日本みつばち専用の養蜂箱とその養蜂方法を提供する。【解決手段】長方形の箱体片方部に開閉自在の開閉蓋２を着脱自在に取付けかつはち出入口６を設けてなる巣箱と該巣箱の底部に底板５を取付けかつ上部に開閉自在の上蓋８を取付けてなる日本みつばち専用の養蜂箱を用い、養蜂箱本体の巣箱内の上方部にはちみつの巣が形成されているかどうかを確認して充分にはちみつが貯留されていたならば養蜂箱本体を横に倒して底板５を取りはずしかつ空箱の養蜂箱本体の底板５を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程とからなる日本みつばち専用の養蜂方法。【選択図】図１
2012034615.tif 000002
【特許請求の範囲】
【請求項１】
長方形の箱体片方部に開閉自在の開閉蓋を着脱自在に取付けかつはち出入口を設けてなる巣箱と、該巣箱の底部に底板を取付けかつ上部に開閉自在の上蓋を取付けてなることを特徴とする日本みつばち専用の養蜂箱。
【請求項２】
請求項１記載の養蜂箱の箱体を縦型式又は横型式に成型してなる請求項１記載の日本みつばち専用の養蜂箱。
【請求項３】
長方形の箱体の下方部に開閉自在の開閉蓋を着脱自在に取付けかつはち出入口を設けてなる巣箱と、該巣箱の底部に底板を取付けかつ上部に開閉自在の上蓋を取付けてなる縦型式又は横型式の養蜂箱本体を設け、該養蜂箱本体の開閉蓋を閉じてはち出入口から日本みつばちが出入りすることを可能とし、更に養蜂箱本体の開閉蓋を開いて巣箱内の様子を見て温度調節及び水分補給を可能とすることを特徴とする日本みつばち専用の養蜂方法。
【請求項４】
養蜂箱本体の巣箱内の上方部にはちみつの巣が形成されているかどうかを確認して充分にはちみつが貯留されていたならば養蜂箱本体を横に倒して底板を取りはずし、かつ空箱の養蜂箱本体の底板を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程と、からなることを特徴とする日本みつばち専用の養蜂方法。
【請求項５】
請求項４記載の養蜂方法において、養蜂箱本体の下方部にほぼ３分の１程度の空間部を有する請求項４記載の日本みつばち専用の養蜂方法。
【請求項６】
請求項４記載の養蜂方法において、袋に採取したみつ入り板からみつを採蜜する請求項４記載の日本みつばち専用の養蜂方法。
【発明の詳細な説明】
【技術分野】
【０００１】
本発明は、みつばちの養蜂方法に関するが詳しくは日本みつばち専用の養蜂方法に関するものである。
【背景技術】
【０００２】
従来から一般的な養蜂方法は専ら西洋みつばちの養蜂方法であり、例えば特開平８‐３７９８４号（特許第２７８３９７７号）が開示されている。この養蜂方法は、養蜂箱に巣門と通気口とを備えた養蜂箱本体と、外養蜂箱本体との開閉を自在にした養蜂箱蓋とから成る養蜂箱において、前記養蜂箱本体の通気口に手動操作用の作動ツマミを具備した回転自在の開閉蓋を取付け、かつ作動ツマミを係止するストッパーを付設し、更に前記養蜂箱の上方奥部分に餌補給と通風とを兼備した長方形網張口を設け、かつ該長方形網張口に開閉自在の開閉蓋を付設して成り、一方前記養蜂箱蓋の開閉蓋をゴムバンドを介して係止して成ることを特徴とする養蜂箱を用いて、はちみつを採取するものである。
【特許文献１】特開平８−３７９８４号公報  この公開されている養蜂方法は、図１５から図２５に示した養蜂箱を用いて西洋みつばちのみつを採取する方法である。以下、その具体的な養蜂箱とその養蜂方法について説明する。
【０００３】
図１５乃至図２０は従来の養蜂箱を示したものであり、２１が養蜂箱本体で２２が通気口である。養蜂箱本体２１は、木製の素材を用いて箱状に加工されており、その一側面（前方）には巣門２７と通気口２２が形成されている。巣門２７は下段中央部に細長状に穴設されており、通気口２２はその上方部に円形状に穴設されている。また、この通気口２２には網張りＳされている。２３は通気口２２の開閉蓋であり木製板を円形状に形成し、その表面には開閉蓋２３を手動操作するための作動ツマミ２４が取付けてある。また、この開閉蓋２３は後述するように巣門を開閉する機能も有している。２５は開閉蓋２３を通気口２２に取付るための支軸ネジであり、この支軸ネジ２２を軸心にした開閉蓋２３を一定の位置で係止させるためのストッパーであり、作動ツマミ２４が係止されるように構成されている。
【０００４】
また２８は養蜂箱蓋であり、上方部分に餌を補給するための餌補給と痛風とを兼備した長方形網張口が穴設されている。この餌補給口２９の内側は網張Ｄされており、上方奥部分には開閉自在になる開閉蓋３０が付設されている。なお３１は蝶つがいであり、この蝶つがい３１を介して開閉蓋３０を自在に開閉できるので、ワンタッチで餌補給口２９から餌を注入することができると共に、養蜂箱本体２７内に外気を通風させることができる。なお、３２はゴムバンド３３を止める係止ピンである。
【０００５】
次に、図１７と図１８によって従来の養蜂箱の操作方法について説明する。まず、開閉蓋２３の作動ツマミ２４を手で持ち右方向に回転させると、作動ツマミ２４がストッパー２６で係止され通気口２２は図１７に示すように開閉蓋２３によって完全に密封されることになる。その際、巣門２７は開口状態となる。ついで、支軸ネジ２５を軸心にして作動ツマミ２４を左方向に回転させると、図１８に示すように開閉蓋２３を下方向に移動し一定の位置（本図では支軸ネジ２５と対向位置で停止される。その結果、通気口２２は開閉状態となるが、巣門２７は密封状態となる。なお、開閉蓋２３は木製素材が用いられている。
【０００６】
更に、図１９と図２０によって従来の養蜂箱から成る養蜂箱蓋の開閉操作について説明する。まず、通常は図１９のように開閉蓋３０は係止ピン３２、３２間にゴムバンドで止められているので、蓋部分は完全に密封状態で閉じられている。この状態でもって、養蜂箱内に餌を補給しようとする場合は、図２０に示すようにゴムバンド３３を係止ピン３２から取りはずして開閉蓋３０を矢印方向に手動操作すれば、餌補給口２９が開かれて網張りＤ部分から餌を補給することができる。その後、餌補給口２９を介して養蜂箱内の空気と外気との通風も同時に行うことが可能となり、しかも養蜂箱内の様子を見ることも可能となる。
【発明の開示】
【発明が解決しようとする課題】
【０００７】
このように従来から開発されて使用されている養蜂箱は、いずれも西洋みつばちの養蜂方法に使用される養蜂箱であって、日本みつばちの養蜂箱でも養蜂方法ではない。日本みつばちは、すでに５〜６０年前に西洋みつばちが輸入されてからは、活用できず壊滅状態となり日本国から日本みつばちは消滅されてしまった。
【０００８】
特に、日本みつばちは日本の自然環境とりわけ日本全土の草花・果物の受粉としての役割は大昔（２０〜３０億年前位）から果たしてきていた。それが西洋みつばちの輸入によって日本全土から日本みつばちがいなくなり、すべてが西洋みつばちが代役されてきたのが現状である。
【０００９】
しかし最近では、その西洋みつばちが原因不明の現象によって滅びつつあり、やむを得ず日本の養蜂業者は外国からみつのみを輸入して市場化されるようになった。その結果、不良品のはちみつが市場に出廻り役所の監視化が厳しくなり、日本での養蜂業者の経営が成り立たず廃業する現象も起きている。この現象によって、西洋みつばちが日本全土から姿を消えれば受粉を人間の手によって行わなければならず、しかもその成果が不充分であるから、野菜や果物の生産農家にも多大な影響を及ぼすことになる。
【００１０】
そこで、我が国古来からの日本みつばちの早期開発が求められており、西洋みつばちに代って我が国本来の日本みつばちが開発されている。ここに本発明が解決しようとする課題を有する。
【課題を解決するための手段】
【００１１】
本発明は上記の如き課題を解決するために開発したものであって、長方形の箱体片方部に開閉自在の開閉蓋を着脱自在に取付けかつはち出入口を設けてなる巣箱と、該巣箱の底部に底板を取付けかつ上部に開閉自在の上蓋を取付けてなる日本みつばち専用の養蜂箱と、前記養蜂箱の箱体を縦型式又は横型式に成型してなる日本みつばち専用の養蜂箱の提供にある。
【００１２】
また本発明は、長方形の箱体の下方部に開閉自在の開閉蓋を着脱自在に取付けかつはち出入口を設けてなる巣箱と、該巣箱の底部に底板を取付けかつ上部に開閉自在の上蓋を取付けてなる縦型式又は横型式の養蜂箱本体を設け該養蜂箱本体の開閉蓋を閉じてはち出入口から日本みつばちが出入りすることを可能とし更に養蜂箱本体の開閉蓋を開いて巣箱内の様子を見て温度調節及び水分補給を可能とする日本みつばち専用の養蜂方法と、前記養蜂箱本体の巣箱内の上方部にはちみつの巣が形成されているかどうかを確認して充分にはちみつが貯留されていたならば養蜂箱本体を横に倒して底板を取りはずしかつ空箱の養蜂箱本体の底板を取りはずしてはちみつ入りの養蜂箱に連着する工程とはちみつ入りの養蜂箱本体の上蓋を取りはずしてみつ入り巣を包丁により取りはがしてみつ入り板を別体の袋に収納する工程と底板みつ入り板を除去した後にはちを空箱の養蜂箱本体内のすべてのはちを移動させる工程とからなる日本みつばち専用の養蜂方法と、前記養蜂箱本体の下方部にほぼ３分の１程度の空間部を有しかつ袋に採取したみつ入り板からみつを採蜜する日本みつばち専用の養蜂方法の提供にある。
【発明の効果】
【００１３】
本発明は、長方形の箱体片方部に開閉自在の開閉蓋を着脱自在に取付けかつはち出入口を設けてなる巣箱と該巣箱の底部に底板を取付けかつ上部に開閉自在の上蓋を取付けてなりかつ養蜂箱の箱体を縦型式又は横型式に成型してなる日本みつばち専用の養蜂箱であり、また長方形の箱体の下方部に開閉自在の開閉蓋を着脱自在に取付けかつはち出入口を設けてなる巣箱と該巣箱の底部に底板を取付けかつ上部に開閉自在の上蓋を取付けてなる縦型式又は横型式の養蜂箱本体を設け該養蜂箱本体の開閉蓋を閉じてはち出入口から日本みつばちが出入りすることを可能とし更に養蜂箱本体の開閉蓋を開いて巣箱内の様子を見て温度調節及び水分補給を可能とし、更に巣箱内の上方部にはちみつの巣が形成されているかどうかを確認して充分にはちみつが貯留されていたならば養蜂箱本体を横に倒して底板を取りはずしかつ空箱の養蜂箱本体の底板を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程とからなり、更に養蜂箱本体の下方部にほぼ３分の１程度の空間部を有しかつ袋に採取したみつ入り板からみつを採蜜する日本みつばち専用の養蜂方法であるから、従来の西洋みつばちの養蜂方法とは全く異なる養蜂方法を提供することができる。以下、具体的な効果を説明する。
ア、日本みつばちは西洋みつばちとは異なり、採蜜活動の場所が標高１，０００ｍ〜１，  ５００ｍの山里であることから、主として高山植物に開花されている小さな花からみつ  を採取しているので、西洋みつばちの採取しているみつとは全く高質成分のみつが得ら  れる。
イ、また、日本みつばちは西洋みつばちとは異なり、人工的に作成された養蜂箱に巣づく  りをしてみつを採取することができず、全く自然の環境状態にしてはちたちが自ら巣箱  をつくる習性があるから、みつの採取量が西洋みつばちよりはるかに少量であり、しか  も１年からに２年位しないと採蜜することができない。その結果、西洋みつばちより高  額となり高級指向型のみつを提供することができる。
ウ、このような習性と特性を有する日本みつばちを我が国全土に養蜂するのには、日本み  つばちに適した山里を管理するのが前提条件となるので、国などの公共団体の支援はも  とより、我が国養蜂家の高質化が不可欠となる。この養蜂家の養成が我が国の野菜や果  物などの自給自足を高めることができるとともに、高質で高級な日本みつばちのみつを  市場に提供することが可能となる。
ヱ、よって、本発明による日本みつばちの養蜂方法を採用すれば、上記の如き多くの効果  が得られることになり、我が国の農林業の支援にも大いに役立つことにもなる。
【発明を実施するための最良の形態】
【００１４】
本発明の最良な実施形態は、大昔から自然養蜂されていた日本みつばちを人工的な養蜂方法を新規に開発したものである。よって、その養蜂箱及び養蜂方法は新しく開発されたものである。
【００１５】
すなわち、本発明の養蜂箱は長方形の箱体片方部に開閉自在の開閉蓋を着脱自在に取付けかつはち出入口を設けてなる巣箱と該巣箱の底部に底板を取付けかつ上部に開閉自在の上蓋を取付けてなり、かつ養蜂箱の箱体を縦型式又は横型式に成型してなる日本みつばち専用の養蜂箱である。
【００１６】
また本発明の養蜂方法は、長方形の箱体の下方部に開閉自在の開閉蓋を着脱自在に取付けかつはち出入口を設けてなる巣箱と該巣箱の底部に底板を取付けかつ上部に開閉自在の上蓋を取付けてなる縦型式又は横型式の養蜂箱本体を設け該養蜂箱本体の開閉蓋を閉じてはち出入口から日本みつばちが出入りすることを可能とし更に養蜂箱本体の開閉蓋を開いて巣箱内の様子を見て温度調節及び水分補給を可能とし、また養蜂箱本体の巣箱内の上方部にはちみつの巣が形成されているかどうかを確認して充分にはちみつが貯留されていたならば養蜂箱本体を横に倒して底板を取りはずしかつ空箱の養蜂箱本体の底板を取りはずしてはちみつ入りの養蜂箱に連着する工程とはちみつ入りの養蜂箱本体の上蓋を取りはずしてみつ入り巣を包丁により取りはがしてみつ入り板を別体の袋に収納する工程と底板みつ入り板を除去した後にはちを空箱の養蜂箱本体内のすべてのはちを移動させる工程とからなり、また養蜂箱本体の下方部にほぼ３分の１程度の空間部を有しかつ袋に採取したみつ入り板からみつを採蜜する日本みつばち専用の養蜂方法である。以下、具体的な最良な実施例について説明する。
【００１７】
まず、図１と図２とによって本発明から構成される養蜂箱を示した説明用の斜視図であり、１はその養蜂箱本体である。養蜂箱本体１は、古い使用済の古板を素材にして使用する。この古板材を直方状の箱体に形成し、４面の１面底面中央部に日本みつばちが出入りするはち出入口６を設け、その上方部に巣箱内の様子を見る開閉蓋２が取付けられている。この開閉蓋２には取手３が取付けてあり、その開閉を自在にする蝶つがい７で固定されている。なお、４は開閉蓋２のフックであり、いつでも取手３を持って開閉蓋２を上下にすれば開閉蓋２が開いたり閉じたり自在に作動することができる。８は、養蜂箱本体１の上蓋であり、使用時は常時固定されている。この上蓋８の内部上面にはみつＢを貯める巣があり、このみつを貯めるはち巣にはみつを採取してきた日本みつばちＡがはち出入口６から侵入してみつをためると図１のような吊り状の巣がたれ下がっている。この場合は、はち出入口６の巣箱内は広い空間があるので、はちの巣づくりが効率的に行うことができることになる。５は養蜂箱本体１の底部に取り付ける底板であり、取付自在となるようにネジなどで螺着されている。
【００１８】
次に、図３から図１１とによって本発明から養蜂箱の使用方法と養蜂方法について説明する。まず、図３に示すように養蜂箱本体１内にはちみつ巣内にみつＢが貯まったならば、底板５を取りはずして図４の状態にした後に図５に示す状態に養蜂箱本体１を横に倒して空の養蜂箱本体１ａの上蓋８、８ａを取りはずして、重ね合わせてガムテープＰで連着する。そうすれば、両養蜂箱本体１、１ａの底部が貫通されることになる。このような操作によって図５に示す状態に養蜂箱本体１にしてから、養蜂箱本体１の上蓋８を取りはずして、みつのたまっている板状のはちみつＢを包丁Ｙで剥がして別体の袋Ｗに投入する。
【００１９】
次に、図７と図８に示すようにははちみつＢを取り除いた後に底面にたまっているはちみつＢを雑巾Ｖできれいに拭き取り同時に箱内にいるみつばちＡを奥の方に刷毛Ｈで追い込み空の養蜂箱本体１ａに移せば、図９の状態に空の養蜂箱本体１ａ内にみつばちＡを完全に移動させたならば、ガムテープＰを剥がして養蜂箱本体１を取り除いて手早く底板５を固定する。そうすれば、養蜂箱本体１ａに移動されたみつばちＡは図１に示した状態となり、新しく巣箱を簡単容易につくることができる。
【００２０】
なお、図１２と図１３は横型式の養蜂箱を示したものであり、基本的には縦型式のものと同じであるから説明は省略する。
【図面の簡単な説明】
【００２１】
【図１】本発明の養蜂箱を示した斜視図。
【図２】図１に示した養蜂箱の組立分解図。
【図３】本発明の使用状態を示した概要斜視図。
【図４】本発明の使用状態を示した概要斜視図。
【図５】本発明の使用状態を示した概要斜視図。
【図６】本発明の使用状態を示した概要斜視図。
【図７】本発明の使用状態を示した概要斜視図。
【図８】本発明の使用状態を示した概要斜視図。
【図９】本発明の使用状態を示した概要斜視図。
【図１０】本発明の使用状態を示した概要斜視図。
【図１１】本発明の使用状態を示した概要斜視図。
【図１２】本発明の使用状態を示した概要斜視図。
【図１３】本発明の他の実施例を示した概要斜視図。
【図１４】図13の使用状態を示した概要斜視図。
【図１５】本発明の養蜂箱を示した斜視図。
【図１６】図１に示した本発明の一部拡大断面図。
【図１７】本発明の使用状態を示した正面図。
【図１８】本発明の使用状態を示した正面図。
【図１９】本発明の養蜂箱蓋部を示した平面図。
【図２０】図５に示した養蜂箱蓋部の拡大斜視図。
【図２１】従来公知の養蜂箱を示した正面図。
【図２２】図７に示した従来養蜂箱の一部拡大断面図。
【図２３】従来公知の養蜂箱を示した正面図。
【図２４】図９に示した従来養蜂箱の一部断面図。
【図２５】従来公知の養蜂箱を示した斜視図。
【図２６】図11に示した従来養蜂箱の一部拡大説明図。
【符号の説明】
【００２２】
１ａ、１１  養蜂箱本体      ２、１２  開閉蓋  
３  取手                    ４、１４  フック
５、５ａ  底板              ６、６ａ、１６  はち出入口
７  蝶つがい                ８、８ａ、１８  上蓋  
９  置台                    Ａ  日本みつばち
Ｂ  はちみつ                Ｃ  空間
Ｐ  ガムテープ              Ｖ  雑巾
Ｈ  刷毛                    Ｙ  包丁
Ｗ  袋                      Ｘ  手
２１  養蜂箱本体            ２２  通気口
２３  開閉蓋                ２４  作動ツマミ
２５  支軸ネジ              ２６  ストッパー
２７  巣門                  ２８  養蜂箱蓋
２９  餌補給口              ３０  開閉蓋
３１  蝶つがい              ３２  係止ピン
３３  ゴムバンド            ４０  可動扉
４１  巣門                  ４２  網張り
４３  通気口                ５１  開閉蓋
５３  取手                  ５４  スプリング
５５  可動扉                ５６  ストッパー
５７  ストッパー            ６１  網張り
６２  網張り                ６３  通気口
６４  通気口                ６５  巣門
７１  養蜂箱本体            ７２  通気口
７３  開閉蓋                ７４  作動ツマミ
７５  支軸ネジ              ７６  ストッパー
７７  巣門                  ７８  養蜂箱蓋
７９  餌補給口              ８０  ゴム蓋
【図１】
2012034615.tif 000003
【図２】
2012034615.tif 000004
【図３】
2012034615.tif 000005
【図４】
2012034615.tif 000006
【図５】
2012034615.tif 000007
【図６】
2012034615.tif 000008
【図７】
2012034615.tif 000009
【図８】
2012034615.tif 000010
【図９】
2012034615.tif 000011
【図１０】
2012034615.tif 000012
【図１１】
2012034615.tif 000013
【図１２】
2012034615.tif 000014
【図１３】
2012034615.tif 000015
【図１４】
2012034615.tif 000016
【図１５】
2012034615.tif 000017
【図１６】
2012034615.tif 000018
【図１７】
2012034615.tif 000019
【図１８】
2012034615.tif 000020
【図１９】
2012034615.tif 000021
【図２０】
2012034615.tif 000022
【図２１】
2012034615.tif 000023
【図２２】
2012034615.tif 000024
【図２３】
2012034615.tif 000025
【図２４】
2012034615.tif 000026
【図２５】
2012034615.tif 000027
【図２６】
2012034615.tif 000028